(57)【要約】【課題】ケラレの発生を事前に回避することができる撮像装置を提供する。【解決手段】レンズ１０１を最広角側へ配置する（Ｓ１１）。次に、白い被写体を全面撮影するよう表示部２０４にガイドを表示する（Ｓ１２）。次に、スキャンを開始させるためメニュー決定スイッチ２０１ｃを操作する（Ｓ１３；Ｙｅｓ）と、ケラレ検出部３００ｂが画面の四隅の輝度レベルを取得する（Ｓ１４）。１点でも閾値を下回るものがある場合（Ｓ１６；Ｙｅｓ）、レンズ制御部２０３にコマンドを送信し、レンズ１０１を一定量望遠側へ移動して配置させ再びＳ１４およびＳ１５を繰り返す。閾値を下回るポイントがなくなると（Ｓ１５；Ｎｏ）、ズーム設定部３００ａによりレンズ１０１のズーム位置をレンズ可動範囲の下限として設定し、記憶部２０５へ下限値２０５ａとして保存する（Ｓ１７）。下限が設定されると、レンズ制御部２０３動作時にズームが制限される。【選択図】図５
2007322481.tif 000002
【特許請求の範囲】
【請求項１】
画角を制御できるレンズを介して記録した被写体の記録画像を表示する表示部と、
前記記録画像中のケラレを検出するケラレ検出部と、
前記ケラレが発生する前記レンズの画角の下限値を検出する下限値検出部と、
前記下限値を記憶する記憶部と、
被写体の記録中、前記レンズが前記下限値以上の画角になることを制限するレンズ制御部とを有することを特徴とする撮像装置。
【請求項２】
前記ケラレ検出部は、記録画像の輝度が所定の輝度になる基準の被写体を前記レンズを介して記録し、前記基準の被写体の記録画像中に前記所定の輝度以下の輝度を有する領域を検出したとき、前記領域を前記ケラレとして判定するケラレ判定部を有し、
前記下限値検出部は、前記レンズ制御部が前記レンズの画角を制御して前記領域が検出された状態から前記領域が検出されなくなった状態へ変化したときの画角を前記下限値として検出する画角検出部を有することを特徴とする請求項１に記載の撮像装置。
【請求項３】
前記ケラレ判定部は、前記記録画像中の四隅の輝度と前記所定の輝度を比較して前記ケラレを判定することを特徴とする請求項２に記載の撮像装置。
【請求項４】
前記表示部は、前記下限値を表示することを特徴とする請求項１に記載の撮像装置。
【請求項５】
画角を制御できるレンズを介して記録した被写体の記録画像を表示する表示部と、
記録を希望する前記レンズの画角の下限値を設定する下限値設定部と、
記録を希望する前記レンズの画角の上限値を設定する上限値設定部と、
前記下限値あるいは前記上限値を記憶する記憶部と、
前記レンズの画角を制御するレンズ制御部とを有し、
前記表示部は、前記下限値および前記上限値を表示することを特徴とする撮像装置。
【請求項６】
前記レンズ制御部は、被写体の記録中、前記レンズが前記下限値以上の画角、あるいは前記上限値以下の画角になることを制限することを特徴とする請求項５に記載の撮像装置。
【請求項７】
前記表示部は、前記下限値以上の画角、あるいは前記上限値以下の画角を表示することを特徴とする請求項５に記載の撮像装置。
【発明の詳細な説明】
【技術分野】
【０００１】
本発明は、レンズによる光学ズーム機能を有する撮像装置に関し、特にズーム範囲を制御可能な光学ズーム機能を有する撮像装置に関する。
【背景技術】
【０００２】
従来の技術として、例えば、コンバージョンレンズ等のアクセサリを取り付けることにより生じるケラレを、撮影者に報知するようにした撮像装置がある（例えば、特許文献１）。
【０００３】
この撮像装置によると、装置に設けられたケラレ検出スイッチを操作することにより、信号処理回路においてＣＣＤ（Ｃｈａｒｇｅ−Ｃｏｕｐｌｅｄ  Ｄｅｖｉｃｅｓ）に結像した像のうち光量が一定量よりも不足している部分をケラレとして検出する。ケラレが検出された場合には、ケラレが生じている旨のメッセージを表示部に表示する。そのためコンバージョンレンズを使用する場合にも、撮影者はメッセージを参照しつつ、ズーム範囲を調整することにより撮影画像中にケラレが映りこむことを防止することが可能となる。
【特許文献１】特開２００５−２１０４７１号公報
【発明の開示】
【発明が解決しようとする課題】
【０００４】
しかし、従来の撮像装置によると、ケラレの発生を撮影者に報知してケラレが発生した状態を回避するよう促すものであるため、ケラレの発生を事前に回避することができない。
【０００５】
従って、本発明の目的は、ケラレの発生を事前に回避することができる撮像装置を提供することにある。
【課題を解決するための手段】
【０００６】
（１）本発明は上記目的を達成するため、画角を制御できるレンズを介して記録した被写体の記録画像を表示する表示部と、前記記録画像中のケラレを検出するケラレ検出部と、前記ケラレが発生する前記レンズの画角の下限値を検出する下限値検出部と、前記下限値を記憶する記憶部と、被写体の記録中、前記レンズが前記下限値以上の画角になることを制限するレンズ制御部とを有することを特徴とする撮像装置を提供する。
【０００７】
このような構成によれば、ケラレが発生する画角をレンズのズーム域外にすることができるため、動画等の撮影中にもケラレを事前に回避することが可能となる。
【０００８】
（２）また、本発明は上記目的を達成するため、画角を制御できるレンズを介して記録した被写体の記録画像を表示する表示部と、記録を希望する前記レンズの画角の下限値を設定する下限値設定部と、記録を希望する前記レンズの画角の上限値を設定する上限値設定部と、前記下限値あるいは前記上限値を記憶する記憶部と、前記レンズの画角を制御するレンズ制御部とを有し、前記表示部は、前記下限値および前記上限値を表示することを特徴とする撮像装置を提供する。
【０００９】
このような構成によれば、撮影者が任意の画角を選択することによりレンズのズーム域を制限できるため、所望のズーム域において撮影が可能となる。
【発明の効果】
【００１０】
本発明によれば、画像にケラレを記録することなく撮影が可能となる。
【発明を実施するための最良の形態】
【００１１】
以下に、本発明の撮像装置の実施の形態を図面を参考にして詳細に説明する。
【００１２】
［第１の実施の形態］
（撮像装置の構成）
図１（ａ）は、本発明の第１の実施の形態に関する撮像装置の前面方向からの斜視図である。図１（ｂ）は、本発明の第１の実施の形態に関する撮像装置の背面方向からの斜視図である。図１（ｃ）は、本発明の第１の実施の形態に関する撮像装置のアクセサリ取り付け時の斜視図である。
【００１３】
撮像装置１０は、内部にＣＣＤや、ＣＰＵ、小型のＨＤＤ（Ｈａｒｄ Ｄｉｓｃ Ｄｒｉｖｅ）等の電子部品を有する本体１００と、ズーム機能を有しＣＣＤに結像するための複数のレンズ群よりなるレンズ１０１と、レンズ１０１前面にフィルタやコンバージョンレンズ、レンズフード等のアクセサリ１０２ａを係止するためのフィルタネジ部１０２と、レンズ１０１のズーム状態を電子制御で操作可能なズームボタン１０３と、本体１００の側部に可動式で取り付けられ、文字、画像等を表示する表示部２０４を有するモニタ１０４と、各種操作が可能なキー入力部２０１とを有する。
【００１４】
キー入力部２０１は、メニューを表示可能なメニュー表示スイッチ２０１ａと、メニュー項目を選択可能な選択スイッチ２０１ｂと、選択したメニュー項目を決定するためのメニュー決定スイッチ２０１ｃとを有する。
【００１５】
図２は、本発明の第１の実施の形態に関する撮像装置の概略構成図である。
【００１６】
撮像装置１０は、キー入力部２０１の操作に従って各部に命令を送信し、各部の信号処理を行うＣＰＵ２００と、レンズ１０１のズーム状態を制御するレンズ制御部２０３と、入射する像を画像信号として電気的に出力するＣＣＤ２０９と、ＣＣＤ２０９の信号をデジタルに変換するＡ／Ｄ変換部２０８と、入力される画像信号を統括的に管理する信号処理部２０２と、画像信号を一時的に保存するためのメモリ２０７と、画像信号の圧縮および伸張を行う動画コーデック部２０６と、圧縮された画像信号を記憶する記憶部２０５と、撮影時および再生時の画像モニタとしての表示部２０４とを有する。
【００１７】
（ソフトウェアの構成）
図３は、本発明の第１の実施の形態におけるソフトウェア構成を示す概略図である。
【００１８】
ソフトウェア２０は、アプリケーション群３０００と、オペレーティングシステム３０１と、ドライバ群３００１とからなり、各ドライバに対応したハードウェアとしてのデバイス群２０００が接続されている。ソフトウェア２０は、記憶部２０１に保存されており、ＣＰＵ２００により処理され動作する。
【００１９】
アプリケーション群３０００は、録画や再生等のモードを制御するモード制御３００Ａと、各種メニュー項目を処理するメニュー処理３００Ｂと、撮影時に画像のエンコード処理や動画記録処理等を行う撮影処理３００Ｃと、再生時に画像のデコード処理等を行う再生処理３００Ｄとを有する。
【００２０】
メニュー処理３００Ｂは、レンズ制御部２０３のズーム領域を設定可能なズーム設定部３００ａと、撮影中の画像の輝度を測定可能なケラレ検出部３００ｂと、ケラレが発生しない画角の下限値を検出する下限値検出部３００ｃを有する。
【００２１】
オペレーティングシステム３０１は、アプリケーション群３０００とドライバ群３００１を統括して管理する。
【００２２】
ドライバ群３００１は、キー入力部２０１を管理する入力ドライバ３０２と、再生時に信号処理部２０２を管理する画像処理ドライバ３０３と、動画記録時に信号処理部２０２とレンズ制御部２０３とを管理するカメラ制御ドライバ３０４と、表示部２０４を管理する表示ドライバ３０５と、記憶部２０５を管理するメディア制御ドライバ３０６と、動画コーデック部２０６を管理するコーデックドライバ３０７とを有する。
【００２３】
（表示画面の構成）
図４（ａ）は、本発明の第１の実施の形態における撮影時の表示画面構成を示す図である。図４（ｂ）は、本発明の第１の実施の形態における撮影時にケラレが発生した場合の表示画面構成を示す図である。図４（ｃ）は、本発明の第１の実施の形態におけるズーム範囲に制限を設けた場合の撮影時表示画面構成を示す図である。
【００２４】
図４（ａ）に示すように、表示部２０４は、ズームバー２０４ａとズームポインタ２０４ｂによってレンズ制御部２０３の状態を示しており、ズームポインタ２０４ｂがズームバー２０４ａのＷ（ワイド）側にある場合はレンズ１０１が広角側に配置され、ズームポインタ２０４ｂがズームバー２０４ａのＴ（テレ）側にある場合はレンズ１０１が望遠側に配置される。
【００２５】
図４（ｂ）は、レンズ１０１を広角側に配置してケラレ２０４Ａが生じた場合を示している。
【００２６】
図４（ｃ）に示すように、ズームバー２０４ａ内にズーム禁止帯２０４ｃが設定されている場合には、ズームポインタ２０４ｂをズーム禁止帯２０４ｃ内に移動することができない。
【００２７】
（動作）
以下に、本発明の第１の実施の形態における撮像装置の動作を図１から図５を参照しつつ説明する。
【００２８】
図５は、本発明の第１の実施の形態に関するケラレ検知およびレンズ可動範囲制限を示すフローチャートである。
【００２９】
ユーザーがメニュー表示スイッチ２０１ａを操作し、メニュー処理３００Ｂのアプリケーションを起動すると、撮影メニューと再生メニューとケラレ検知メニューが表示部２０４に表示される。ケラレ検知メニューを選択することにより図５に示すフローに従い撮像装置１０が動作する。
【００３０】
まず、メニュー処理３００Ｂは、カメラ制御ドライバ３０４を介してレンズ制御部２０３へコマンドを送信し、レンズ１０１を最広角側へ配置する（Ｓ１１）。次に、白い被写体を全面撮影するよう表示部２０４にガイドを表示する（Ｓ１２）。次に、図４（ａ）に示すように撮影者がガイドに従い白い被写体を撮影した時点で、検出を開始させるためメニュー決定スイッチ２０１ｃを操作する（Ｓ１３；Ｙｅｓ）と、ケラレ検出部３００ｂにより画面の四隅の輝度レベルを取得する（Ｓ１４）。スキャンをキャンセルする場合（Ｓ１３；Ｎｏ）は、再びメニュー表示スイッチ２０１ａを操作する。
【００３１】
図４（ｂ）に示すように、１点でも閾値を下回るものがある場合（Ｓ１６；Ｙｅｓ）、下限値検出部３００ｃによりレンズ制御部２０３にコマンドを送信し、レンズ１０１を一定量望遠側へ移動して配置させ再びＳ１４およびＳ１５を繰り返す。閾値を下回るポイントがなくなると（Ｓ１５；Ｎｏ）、下限値検出部３００ｃによりレンズ１０１のズーム位置をレンズ可動範囲の下限として設定し、記憶部２０５へ下限値２０５ａとして保存する（Ｓ１７）。この際、図４（ｃ）に示すようにレンズ可動範囲より広角側はズーム禁止帯２０４ｃとして網状に表示される。
【００３２】
図５に示すケラレ検知およびレンズ可動範囲制限を行い、下限値２０５ａが設定されると、撮影の際に撮影処理３００Ｃと同時にズーム設定部３００ａが起動され、記憶部２０５に保存された下限値２０５ａを参照してレンズ制御部２０３動作時にズームが制限される。
【００３３】
（第１の実施の形態の効果）
上記した実施の形態によると、ケラレが生じないズーム域のみレンズ可動範囲として制限したことにより、動画撮影においてズーム操作を誤ってケラレを画像に記録することがなくなる。
【００３４】
なお、ケラレ検知の際にレンズ１０１の画角をスキャンする移動量は、設計者により設定可能とする。
【００３５】
また、本実施の形態では動画撮影において説明したが、静止画においても同様の効果を得ることが可能である。
【００３６】
〔第２の実施の形態〕
図６（ａ）〜（ｇ）は、本発明の第２の実施の形態における撮影時の表示画面構成を示す図である。なお、以下の説明において、第１の実施の形態と同一の構成および機能を有する部分については共通の符号を付している。
【００３７】
撮影者がメニュー表示スイッチ２０１ａを操作し、メニュー処理３００Ｂのアプリケーションを起動すると、撮影メニューと再生メニューとケラレ検知メニューが表示部２０４に表示される。撮影メニューにより図６（ｃ）および（ｆ）に示す下限値設定ガイド２０４ｄおよび上限値設定ガイド２０４ｅを選択可能で、選択することにより表示部２０４に表示される。
【００３８】
（動作）
以下に、本発明の第２の実施の形態における撮像装置の動作を図６、図７および各図を参照しつつ説明する。
【００３９】
図７は、本発明の第２の実施の形態に関するレンズ可動範囲制限を示すフローチャートである。
【００４０】
まず、撮影者はズームボタン１０３を操作し、図６（ａ）に示す状態より広角側へレンズ１０１の位置を配置する。図６（ｂ）に示すように、被写体２０４Ｂ以外に映りこませたくない非被写体２０４Ｃが入ってしまった場合は、再びズームボタン１０３を操作し、非被写体２０４Ｃが入らないところまでレンズ１０１を望遠側へ移動する（Ｓ２１）。
【００４１】
次に、撮影者がメニュー表示スイッチ２０１ａを操作し、図６（ｃ）に示す下限値設定ガイド２０４ｄを表示させる（Ｓ２２）。次に、現在のレンズ１０１の位置をレンズ可動範囲の下限値として設定してよい場合（Ｓ２３；Ｙｅｓ）は、下限値設定ガイド２０４ｄの「はい」を選択して決定することにより、現在のズーム位置はレンズ可動範囲の下限に設定され、記憶部２０５へ下限値２０５ａとして保存され、図６（ｄ）に示すようにズーム禁止帯２０４ｃが表示される（Ｓ２４）。
【００４２】
図７に示すレンズ可動範囲制限を行い、下限が設定されると、撮影の際に撮影処理３００Ｃと同時にズーム設定部３００ａが起動され、記憶部２０５に保存された下限値２０５ａを参照してレンズ制御部２０３動作時にズームが制限される。
【００４３】
望遠側においてもレンズ可動範囲の下限値２０５ａと同様に上限値２０５ｂを設定して記憶部２０５へ保存可能であり、図７に示す工程と同様に操作が完了する。望遠側を操作する場合は、図６（ｅ）に示すように、被写体２０４Ｂが画面に収まりきらない場合等に使用し、被写体２０４Ｂが収まりきる画角になるまでレンズ１０１を広角側へ移動し、図６（ｆ）に示す上限値設定ガイド２０４ｅによって設定することで、図６（ｇ）に示すようにズーム禁止帯２０４ｃが望遠側に設定される。
【００４４】
（第２の実施の形態の効果）
【００４５】
上記した実施の形態によると、任意にレンズ可動範囲を設定可能としたため、所望のズーム域を超えずに動画撮影が可能となり、画像に映したくない非被写体２０４Ｃの回避や、被写体２０４Ｂへの過剰なズームアップ等を防ぐことができる。
【００４６】
なお、ズーム禁止帯２０４ｃは広角側と望遠側を同時に設定可能としてもよい。
【図面の簡単な説明】
【００４７】
【図１】（ａ）は、本発明の第１の実施の形態に関する撮像装置の前面方向からの斜視図である。（ｂ）は、本発明の第１の実施の形態に関する撮像装置の背面方向からの斜視図である。（ｃ）は、本発明の第１の実施の形態に関する撮像装置のアクセサリ取り付け時の斜視図である。
【図２】本発明の第１の実施の形態に関する撮像装置の概略構成図である。
【図３】本発明の第１の実施の形態におけるソフトウェア構成を示す概略図である。
【図４】（ａ）は、本発明の第１の実施の形態における撮影時の表示画面構成を示す図である。（ｂ）は、本発明の第１の実施の形態における撮影時にケラレが発生した場合の表示画面構成を示す図である。（ｃ）は、本発明の第１の実施の形態におけるズーム範囲に制限を設けた場合の撮影時表示画面構成を示す図である。
【図５】本発明の第１の実施の形態に関するケラレ検知およびレンズ可動範囲制限を示すフローチャートである。
【図６】（ａ）〜（ｇ）は、本発明の第２の実施の形態における撮影時の表示画面構成を示す図である。
【図７】本発明の第２の実施の形態に関するレンズ可動範囲制限を示すフローチャートである。
【符号の説明】
【００４８】
１０…撮像装置、２０…ソフトウェア、１００…本体、１０１…レンズ、１０２ａ…アクセサリ、１０２…フィルタネジ部、１０３…ズームボタン、１０４…モニタ、２００…ＣＰＵ、２０１…キー入力部、２０１ｃ…メニュー決定スイッチ、２０１ａ…メニュー表示スイッチ、２０１ｂ…選択スイッチ、２０２…信号処理部、２０３…レンズ制御部、２０４…表示部、２０４Ａ…ケラレ、２０４Ｂ…被写体、２０４Ｃ…非被写体、２０４ａ…ズームバー、２０４ｂ…ズームポインタ、２０４ｃ…ズーム禁止帯、２０４ｄ…下限値設定ガイド、２０４ｅ…上限値設定ガイド、２０５…記憶部、２０５ａ…下限値、２０５ｂ…上限値、２０６…動画コーデック部、２０７…メモリ、２０８…Ａ／Ｄ変換部、２０９…ＣＣＤ、３００Ａ…モード制御、３００Ｂ…メニュー処理、３００Ｃ…撮影処理、３００Ｄ…再生処理、３００ａ…ズーム設定部、３００ｂ…ケラレ検出部、３００ｃ…下限値検出部、３０１…オペレーティングシステム、３０２…入力ドライバ、３０３…画像処理ドライバ、３０４…カメラ制御ドライバ、３０５…表示ドライバ、３０６…メディア制御ドライバ、３０７…コーデックドライバ、２０００…デバイス群、３０００…アプリケーション群、３００１…ドライバ群
【図１】
2007322481.tif 000003
【図２】
2007322481.tif 000004
【図３】
2007322481.tif 000005
【図４】
2007322481.tif 000006
【図５】
2007322481.tif 000007
【図６】
2007322481.tif 000008
【図７】
2007322481.tif 000009